(57)【特許請求の範囲】
【請求項１】
竿体の長手方向に遊動するように前記竿体に設けられる遊動式の釣糸ガイドであって、
釣糸を案内するガイドリングと、
前記ガイドリングが取り付けられる第１の貫通孔が形成されたリング取付部と、
前記竿体が通される第２の貫通孔が形成されると共に前記竿体の長手方向の特定の位置において前記竿体に固定される固定部と、を備え、
前記リング取付部及び／又は前記固定部は、平均繊維長さが０．５−１０ｍｍの範囲にある複数の短繊維を含有する繊維強化樹脂によって形成されており、
前記複数の短繊維は、前記リング取付部及び／又は前記固定部の少なくとも表層部において前記竿体の長手方向に指向し、
前記第２の貫通孔は、テーパー形状を有し、前記複数の短繊維の一部が前記竿体の長手方向の手元側に突出して露出している、
釣糸ガイド。
【請求項２】
前記リング取付部及び前記固定部は、一体に成形されている請求項１に記載の釣糸ガイド。
【請求項３】
前記複数の短繊維は、平均繊維径が３−１５μｍの範囲にある請求項１又は２に記載の釣糸ガイド。
【請求項４】
前記竿体の穂先側の位置で固定される釣糸ガイドほど前記固定部の前記貫通孔のテーパー角度が大きく形成される請求項１ないし３の何れかに記載の釣糸ガイド。
【請求項５】
請求項１ないし４何れかに記載の釣糸ガイドを備える釣竿。
【発明の詳細な説明】
【技術分野】
【０００１】
本発明は、釣糸ガイド及びこれを備える釣竿に関し、詳しくは、竿体の長手方向に遊動するように当該竿体に設けられる遊動式の釣糸ガイド及びこれを備える釣竿に関する。
【背景技術】
【０００２】
従来より、釣糸を案内する釣糸ガイドとして、軽量化、柔軟性の確保等のために、マトリクス樹脂に強化繊維を混入した繊維強化樹脂を用いて形成されたものが提案されている。例えば、日本国特開昭６０−１９６１３４号公報には、内側環（ガイドリング）を固定する部分を含む釣糸ガイドの本体部を、短繊維を混合した熱可塑性合成樹脂で一体成形した釣糸ガイドが開示されている。こうした釣糸ガイドは、短繊維を混合した合成樹脂を用いて射出成形され、その後、テーパーリーマー等の工具を用いて、ガイドリングを固定する貫通孔の内周面が研磨されると共に当該貫通孔の内径が調整（拡径）される。
【先行技術文献】
【特許文献】
【０００３】
【特許文献１】特開昭６０−１９６１３４号公報
【発明の概要】
【発明が解決しようとする課題】
【０００４】
しかしながら、上述した短繊維の繊維強化樹脂を用いた場合、ガイドリングを固定する貫通孔の内周面に短繊維が露出して、当該内周面に毛羽が立ってしまうことがある。特に、貫通孔の径方向に突出して露出する短繊維は、上述したテーパーリーマー等を用いて貫通孔を研磨及び拡径する工程の妨げとなり易い。従って、短繊維の繊維強化樹脂を用いて形成される釣糸ガイドにおいて、短繊維による不要な毛羽立ちを抑制することが望まれる
【０００５】
本発明の実施形態は、短繊維を含有する繊維強化樹脂を用いて形成される釣糸ガイドにおいて、短繊維による不要な毛羽立ちを抑制することを目的の一つとする。本発明の実施形態の他の目的は、本明細書全体を参照することにより明らかとなる。
【課題を解決するための手段】
【０００６】
本発明の一実施形態に係る釣糸ガイドは、竿体の長手方向に遊動するように前記竿体に設けられる遊動式の釣糸ガイドであって、釣糸を案内するガイドリングと、前記ガイドリングが取り付けられる第１の貫通孔が形成されたリング取付部と、前記竿体が通される第２の貫通孔が形成されると共に前記竿体の長手方向の特定の位置において前記竿体に固定される固定部と、を備え、前記リング取付部及び／又は前記固定部は、複数の短繊維を含有する繊維強化樹脂によって形成されている。前記複数の短繊維は、前記リング取付部及び／又は前記固定部の少なくとも表層部において前記竿体の長手方向に指向する。
【０００７】
本発明の一実施形態に係る釣竿は、上述した一実施形態に係る釣糸ガイドを備える。
【発明の効果】
【０００８】
本発明の様々な実施形態によって、短繊維を含有する繊維強化樹脂を用いて形成される釣糸ガイドにおいて、短繊維による不要な毛羽立ちを抑制することができる。
【図面の簡単な説明】
【０００９】
【図１】一実施形態に係る釣竿１の外観図。
【図２】一実施形態に係る釣糸ガイド１０の外観図。
【図３】一実施形態に係る釣糸ガイド１０の斜視図。
【図４】一実施形態に係る釣糸ガイド１０の断面図。
【図５】一実施形態に係る釣糸ガイド１０を形成する繊維強化樹脂の軸方向断面を模式的に示す図。
【図６】一実施形態における固定部１４の内周面から短繊維３２が露出する様子を模式的に示す図。
【発明を実施するための形態】
【００１０】
以下、本発明の様々な実施形態を適宜図面を参照して説明する。なお、図面における共通する構成要素には同一の参照符号が付されている。
【００１１】
図１は、本発明の一実施形態に係る釣糸ガイド１０を備える本発明の一実施形態に係る釣竿１の外観図である。一実施形態の釣竿１は、図示するように、手元竿３と、複数（図１の例では３本）の中竿５と、穂先竿７と、を有する振り出し式の釣竿として構成されており、釣竿１の不使用時においては、中竿５及び穂先竿７が中空の手元竿３に収納される。
【００１２】
一実施形態の手元竿３、中竿５、及び穂先竿７は、例えば、炭素繊維に合成樹脂を含浸したプリプレグシート等を用いて形成され得る。また、手元竿３、中竿５、及び穂先竿７は、それぞれ穂先方向に先細りとなるテーパー形状を有する。
【００１３】
図１及び図２に示すように、中竿５及び穂先竿７の外周面には、リールＲから繰り出される釣糸を案内する複数の一実施形態に係る釣糸ガイド１０が設けられている。当該釣糸ガイド１０は、遊動式の釣糸ガイドとして構成されており、竿体５、７（中竿５及び穂先竿７）が手元竿３に収納されるときには、竿体５、７に対する固定が解除されて、穂先側端部に移動する。
【００１４】
図３は、一実施形態における釣糸ガイド１０の斜視図であり、図４は、同じく釣糸ガイド１０の軸方向（竿体５、７の長手方向）に沿った断面図である。なお、図３及び４においては、竿体５、７の図示を省略している。釣糸ガイド１０は、図示するように、釣糸が通される環状のガイドリング１２と、筒状の部材であって内周面が竿体５、７の外周面に接触して摩擦力等により固定される固定部１４と、筒状の固定部１４の軸方向略中央から径方向外側に突出する平板状の部材であってガイドリング１２が取り付けられるリング取付部１６と、を備える。
【００１５】
一実施形態のガイドリング１２は、内側に通されて摺動する釣糸に対する摩擦力が比較的小さい部材によって形成することができ、例えば、チタン、アルミニウム、ＳＵＳ、セラミックス等によって形成され得る。
【００１６】
一実施形態の固定部１４は、筒状の中空部分を構成する貫通孔２２（第２の貫通孔）を有し、当該貫通孔２２に竿体５、７が通される。図４に示すように、固定部１４の貫通孔２２は、穂先方向に先細りとなるテーパー形状を有している。そして、竿体５、７が手元竿３に収納されているときに穂先側端部に位置する釣糸ガイド１０は、竿体５、７が振り出されると、当該竿体５、７の長手方向の特定の位置であって、固定部１４の内周面が竿体５、７の外周面に当接する位置で固定される。即ち、一実施形態における複数の釣糸ガイド１０の各々は、予め定められた長手方向の特定の位置における竿体５、７の外径及びテーパー形状に適合するように、固定部１４の内径（貫通孔２２の直径）及び貫通孔２２のテーパー形状が設定されている。また、固定部１４の貫通孔２２を画定する内周面には、釣糸ガイド１０の軸方向（竿体５、７の長手方向）に沿って延伸するように形成された複数の凸条（不図示）を有していてもよい。かかる凸条により、竿体５、７の周方向への釣糸ガイド１０の回転を抑制することができる。この複数の凸条は、例えば、周方向に互いに等間隔で離間して形成される。固定部１４の内周面の凸条の間は平滑な曲面に形成される。
【００１７】
一実施形態のリング取付部１６は、ガイドリング１２を取り付けるための貫通孔２０（第１の貫通孔）が形成されており、この貫通孔２０を画定するリング取付部１６の内周面に、ガイドリング１２が嵌め込まれて固定されている。
【００１８】
一実施形態において、固定部１４及びリング取付部１６は、多数の短繊維を含有する繊維強化樹脂によって一体に成形されている。例えば、固定部１４及びリング取付部１６は、多数の短繊維を含有するマトリクス樹脂を用いて一体に射出成形され、その後、貫通孔２０、２２に相当する部分をテーパーリーマー等の工具を用いて加工することによって形成される。
【００１９】
一実施形態における固定部１４及びリング取付部１６を形成する繊維強化樹脂は、例えば、ポリアミド樹脂、ポリエステル樹脂、ポリフェニレンエーテル、ポリアセタール、又はポリカーボネート等の熱可塑性樹脂をマトリクス樹脂として、多数の炭素繊維等の短繊維を混入することによって形成される。一実施形態における短繊維は、例えば、略円柱形状を有し、平均繊維径が３−１５μｍの範囲にあり、平均繊維長さが０．５−１０ｍｍの範囲にある。また、一実施形態において、繊維強化樹脂における短繊維の含有量は、例えば、マトリクス樹脂に対して１０−６０質量％の範囲にある。ここに開示した短繊維の形状、寸法、及び含有量等は例示であって、本発明の実施形態における短繊維のこれらの特性は、ここに例示したものに限られない。
【００２０】
一実施形態において、固定部１４及びリング取付部１６を形成する繊維強化樹脂が含有する多数の短繊維は、固定部１４及び／又はリング取付部１６の少なくとも一部分、例えば、固定部１４の貫通孔２２を画定する内周面の表層部及び／又はリング取付部１６の貫通孔２０を画定する内周面の表層部において竿体５、７の長手方向を指向している。固定部１４の貫通孔２２を画定する内周面の表層部は、固定部１４のうち、例えばその内周面から２．０ｍｍの深さまでの領域を指す。また、リング取付部１６の貫通孔２０を画定する内周面の表層部は、リング取付部１６のうち、例えばその内周面から２．０ｍｍの深さまでの領域を指す。本明細書で説明する表層部の深さはあくまで例示に過ぎず、本発明の釣糸ガイドおける表層部の深さは本明細書に具体的に開示されたものには限定されない。
【００２１】
図５は、当該繊維強化樹脂によって形成される固定部１４又はリング取付部１６の表層部の、竿体５、７の長手方向に直交する断面を模式的に例示する。当該断面において、図示するように、繊維強化樹脂のマトリクス樹脂３０に含まれる短繊維３２の大部分（例えば、７０％以上、より好ましくは９０％以上）は、略円形の形状として観察される。そして、当該短繊維３２は略円柱形状を有するから、当該断面において略円形の形状を有する短繊維３２は、竿体５、７の長手方向に沿う向きで配置されている（短繊維３２の長手方向が、竿体５、７の長手方向を向いている）と言うことが出来る。ここで、固定部材１４の内周面に上述した凸条を形成する場合、かかる凸条は、その凸条の間にある平滑な曲面に比べて少量の短繊維を含有するように形成されてもよい。固定部材１４に対して研磨加工や切削加工を行う場合、短繊維３２の含有量が少ないほど加工性はよいので、凸条における短繊維の含有量を比較的少量とすることにより、固定部材１４の内周面をテーパーリーマー等の工具を用いて加工する際の加工性が向上する。
【００２２】
ここで、一実施形態において、マトリクス樹脂３０に含まれる短繊維３２の向きを制御する手法は、特に限定されないが、例えば、短繊維３２を混入したマトリクス樹脂３０を射出成形用の金型に注入するときの、当該マトリクス樹脂３０の流れる方向を制御することによって、短繊維３２の向きを制御することができる。具体的には、例えば、固定部１４及びリング取付部１６を一体成形する金型に注入するマトリクス樹脂３０の流れる方向を、竿体５、７の長手方向に対応する方向とすることによって、当該マトリクス樹脂３０に含まれる短繊維３２は当該長手方向を指向する。固定部材１４の内周面に上述した凸条を形成する場合、凸条に対しては注入されたマトリクス樹脂３０が流動しにくいため、凸条における短繊維の含有量を固定部材１４の他の部分（例えば、凸条の間にある平滑な曲面）よりも少なくすることができる。また、固定部材１４の周方向における凸条の幅を短繊維の長さよりも小さくすることにより、成型時に凸条に短繊維が入りにくくすることができる。
【００２３】
一実施形態において、上記射出成形後、固定部１４の貫通孔２２、及び、リング取付部１６の貫通孔２０に相当する部分は、テーパーリーマー等の工具によって内周面が研磨されると共に内径が調整（拡径）される。このとき、上述したように、繊維強化樹脂に含まれる短繊維３２は、竿体５、７の長手方向を指向しているから、貫通孔２０、２２の径方向に突出して露出し難い。従って、当該研磨及び拡径の作業は阻害され難い。
【００２４】
また、固定部１４の貫通孔２２は、上述したように、穂先方向に先細りとなるテーパー形状を有しているから、図６に示すように、竿体５、７の長手方向を指向する短繊維３２の一部が、固定部１４の内周面において長手方向の手元側に突出して露出する。
【００２５】
ここで、上述したように、釣糸ガイド１０は、固定部１４の内周面が竿体５、７の外周面に当接して固定されるから、固定部１４の内周面において長手方向に突出して露出する短繊維３２は、固定部１４の内周面と竿体５、７の外周面との間に生じる摩擦力を増大させる。この結果、釣糸ガイド１０が、竿体５、７により強固に固定され得る。
【００２６】
ここで、一実施形態の釣竿１において、竿体５、７のテーパー形状のテーパー角度は、穂先側ほど大きくなる（急峻になる）ように構成されている。従って、穂先側の位置で固定される釣糸ガイド１０ほど、固定部１４の貫通孔２２のテーパー角度も大きくなり、この結果、長手方向を指向する短繊維３２が露出し易くなる。一方、小径である穂先側の位置で固定される釣糸ガイド１０は、竿体５、７の外周面との接触面積が小さくなるため摩擦力も小さくなり、例えば、釣糸の摺動に応じて意図せずに回転し易い。一実施形態においては、摩擦力が小さくなりやすい当該穂先側の位置で固定される釣糸ガイド１０ほど、上述したように、固定部１４の貫通孔２２において短繊維３２が露出し易くなっているから、露出する短繊維３２によって摩擦力が増大し、上記意図しない回転等が抑制され得る。
【００２７】
上述した一実施形態においては、固定部１４とリング取付部１６とを一体成形するように構成したが、本発明の他の実施形態においては、固定部１４とリング取付部１６とは別体として形成され得る。また、固定部１４及びリング取付部１６の一方のみを、短繊維が長手方向を指向する繊維強化樹脂によって形成するように構成することもできる。
【００２８】
以上説明した本発明の様々な実施形態における釣糸ガイド１０は、釣糸を案内するガイドリング１２と、当該ガイドリング１２が取り付けられる貫通孔２０（第１の貫通孔）が形成されたリング取付部１６と、竿体５、７が通される貫通孔２２（第２の貫通孔）が形成されると共に竿体５、７の長手方向の特定の位置において当該竿体５、７に固定される固定部１４と、を備え、リング取付部１６及び／又は固定部１４は、竿体５、７の長手方向を指向する複数の短繊維３２を含有する繊維強化樹脂によって形成されている。従って、貫通孔２０及び／又は貫通孔２２において、短繊維３２が径方向に突出して露出することが抑制される。即ち、本発明の様々な実施形態は、短繊維を含有する繊維強化樹脂を用いて形成される釣糸ガイドにおいて、短繊維による不要な毛羽立ちを抑制することができ、この結果、釣糸ガイドにおける貫通孔の研磨及び拡径の作業が阻害され難い。
【００２９】
また、本発明の様々な実施形態における釣糸ガイド１０は、短繊維を含有する繊維強化樹脂を用いて形成されるから、長繊維を含有する繊維強化樹脂を用いる場合と比較して、曲げ剛性が高くなり難い。この結果、本発明の様々な実施形態における釣糸ガイド１０は、釣竿１の曲がりに対する追従性を確保し易い。
【００３０】
本発明の実施形態は、上述した実施形態に限定されるものではなく、その要旨を逸脱しない範囲内で様々な変更が可能である。例えば、釣竿１に設けられる釣糸ガイド１０の数、位置、形状等は、上述した実施形態に限定されるものではない。
【符号の説明】
【００３１】
１  釣竿
３  手元竿
５  中竿
７  穂先竿
１０  釣糸ガイド
１２  ガイドリング
１４  固定部
１６  リング取付部
２０、２２  貫通孔
【図１】
0006401681.tif 000002
【図２】
0006401681.tif 000003
【図３】
0006401681.tif 000004
【図４】
0006401681.tif 000005
【図５】
0006401681.tif 000006
【図６】
0006401681.tif 000007